(57)【要約】【課題】  移動部材を光軸方向から容易に組み立てることが可能な撮像装置を提供する。【解決手段】  第１のレンズを保持し、第１のレンズ保持部材と、第２のレンズを保持し、第２のレンズ保持部材と、第１のレンズ保持部材を駆動する駆動部材と、第１のレンズ保持部材に設けられ、駆動部材と係合するラック部材と、第１のレンズ保持部材の光軸方向での移動から回転を生じさせる第１のカムおよび第２のレンズ保持部材を光軸方向に駆動する第２のカムを有するカム部材と、第１のレンズ保持部材、第２の保持部材およびカム部材を収容する鏡筒ケースと、を備え、ラック部材が駆動部材に係合される係合位置と、鏡筒ケースへの挿入時に保持される第１の保持位置と、第１のレンズ保持部材および第２のレンズ保持部材のカム部材への挿入時に保持される第２の保持位置と、の間で回動可能となるように、第１のレンズ保持部材にラック部材を保持する保持部材を設けた。【選択図】  図７
2020177166.tif 000002
【特許請求の範囲】
【請求項１】
第１のレンズを保持し、光軸方向に移動可能な第１のレンズ保持部材と、
第２のレンズを保持し、前記光軸方向に移動可能な第２のレンズ保持部材と、
前記第１のレンズ保持部材を前記光軸方向に駆動する駆動部材と、
前記第１のレンズ保持部材に設けられ、前記駆動部材と係合するラック部材と、
光軸から離れて前記光軸方向に延びる軸回りで回転可能であり、前記第１のレンズ保持部材の前記光軸方向での移動から回転を生じさせる第１のカムおよび前記第２のレンズ保持部材を前記光軸方向に駆動する第２のカムを有するカム部材と、
前記第１のレンズ保持部材、前記第２の保持部材および前記カム部材を収容する鏡筒ケースと、を備え、
前記ラック部材が前記駆動部材に係合される係合位置と、前記鏡筒ケースへの挿入時に保持される第１の保持位置と、前記第１のレンズ保持部材および前記第２のレンズ保持部材の前記カム部材への挿入時に保持される第２の保持位置と、の間で回動可能となるように、前記第１のレンズ保持部材に前記ラック部材を保持する保持部材を設けたことを特徴とする、撮像装置。
【請求項２】
前記鏡筒ケースは、
前記第１のレンズ保持部材を前記鏡筒ケースへの挿入する際に、前記第１のレンズ保持部材の光軸方向の移動を規制する第１の規制部と、
前記第１のレンズ保持部材および前記第２のレンズ保持部材の前記カム部材への挿入時に前記第１のレンズ保持部材の光軸方向の移動を規制する第２の規制部と、を有することを特徴とする請求項１に記載の撮像装置。
【請求項３】
前記ラック部材の前記係合位置は、前記ラック部材の回動範囲において、前記第１の保持位置と前記第２の保持位置の間に位置であることを特徴とする請求項１または２に記載の撮像装置。
【請求項４】
前記ラック部材は、付勢部材によって前記第１のレンズ保持部材に対して
光軸方向および光軸と平行な軸周りの回転方向に付勢されるように
前記第１のレンズ保持部材に回動可能に取り付けられたことを特徴とする請求項１乃至３のいずれか一項に記載の撮像装置。
【請求項５】
前記ラック部材は、前記付勢部材によって前記第２の保持位置に向かう回転方向に付勢されることを特徴とする請求項１乃至４のいずれか一項に記載の撮像装置。
【請求項６】
前記鏡筒ケースの前記第１の規制部は、前記鏡筒ケースの前記第２の規制部よりも前記鏡筒ケースの前記挿入口から離れていることを特徴とする、請求項２に記載の撮像装置。
【請求項７】
前記第１のレンズ保持部材と前記第２のレンズ保持部材は隣合うレンズ群を保持している
ことを特徴とする請求項１乃至６のいずれか一項に記載の撮像装置。
【請求項８】
前記第１のレンズ保持部材と前記第２のレンズ保持部材の位置が、
前記第１のレンズ保持部材が前記鏡筒ケースの前記第２の規制部で規制された状態において、最も接近することを特徴とする請求項１乃至７のいずれか一項に記載の撮像装置。
【発明の詳細な説明】
【技術分野】
【０００１】
本発明は、撮像装置に関し、特にレンズ群を光軸方向に進退可能に保持するレンズ鏡筒を備えた撮像装置に関するものである。
【背景技術】
【０００２】
従来、被写体を撮像する為のカメラユニットがドーム等の筺体に覆われ、パン軸及びチルト軸周りに回転可能に支持されており、ユーザーが希望する撮影方向にカメラユニットの向きを変えて被写体を撮影することができる撮像装置が知られている。
【０００３】
このような撮像装置においては、カメラユニットの高性能化や小型化が求められているが、ズームの高倍率化や撮像素子の大型化といった撮影レンズの高性能化をすると、撮影レンズの光路長が伸びてしまう。そして、結果としてカメラユニットやカメラユニットを覆う筺体を含む撮像装置全体が大型化してしまう為、撮像装置の小型化を阻害する要因となっている。そこで、撮影レンズの高性能化や小型化の為に、カム環を使用して複数のレンズ群を光軸方向に直進移動してズーミングを行う撮像装置があった。
【０００４】
例えば、特許文献１では、光軸と異軸に回転中心を有する超音波モータで、超音波モータの回転中心と同軸上に回転中心を有し超音波モータの出力部材と直結され移動レンズ保持部材とカム結合するカム部材を回転させる。これによって、複数の移動レンズ保持部材を光軸方向に移動させる構成が開示されている。
【０００５】
また、鏡筒ケースへのレンズ保持枠の組立方法として、特許文献２では、ナット部材を支持するレンズ保持枠が挿入開口部から挿入されて鏡筒ケースに収納される。ナット部材はリードスクリューに噛合される噛合位置と鏡筒ケースへの挿入時に保持される保持位置との間で回動可能とされ、レンズ保持枠のナット支持部にナット部材を保持位置に保持する保持部を設けた構成が開示されている。
【先行技術文献】
【特許文献】
【０００６】
【特許文献１】特開平７−３０６３５１号公報
【特許文献２】特開２０１２−１４５８３７号公報
【発明の概要】
【発明が解決しようとする課題】
【０００７】
しかしながら、特許文献２に開示された従来技術では、複数の移動レンズ保持部材をカム部材に係合させる構成の場合には、複数の移動レンズ保持部材を特定の光軸方向位置に規制することが出来ず組み立てが困難になってしまう。
【０００８】
そこで、本発明の目的は、１つのカム部材で複数の移動部材を駆動させる構成において、移動部材を光軸方向から容易に組み立てることが可能な撮像装置を提供することである。
【課題を解決するための手段】
【０００９】
上記目的を達成するために、本発明は、第１のレンズを保持し、光軸方向に移動可能な第１のレンズ保持部材と、第２のレンズを保持し、前記光軸方向に移動可能な第２のレンズ保持部材と、前記第１のレンズ保持部材を前記光軸方向に駆動する駆動部材と、前記第１のレンズ保持部材に設けられ、前記駆動部材と係合するラック部材と、光軸から離れて前記光軸方向に延びる軸回りで回転可能であり、前記第１のレンズ保持部材の前記光軸方向での移動から回転を生じさせる第１のカムおよび前記第２のレンズ保持部材を前記光軸方向に駆動する第２のカムを有するカム部材と、前記第１のレンズ保持部材、前記第２の保持部材および前記カム部材を収容する鏡筒ケースと、を備え、前記ラック部材が前記駆動部材に係合される係合位置と、前記鏡筒ケースへの挿入時に保持される第１の保持位置と、前記第１のレンズ保持部材および前記第２のレンズ保持部材の前記カム部材への挿入時に保持される第２の保持位置と、の間で回動可能となるように、前記第１のレンズ保持部材に前記ラック部材を保持する保持部材を設けたことを特徴とする。
【発明の効果】
【００１０】
本発明によれば、１つのカム部材で複数の移動部材を駆動させる構成において、移動部材を光軸方向から容易に組み立てることを可能にした撮像装置を提供することができる。
【図面の簡単な説明】
【００１１】
【図１】本発明の撮像装置の斜視図である。
【図２】本発明の撮像装置の断面図である。
【図３】本発明のレンズ鏡筒の分解斜視図である。
【図４】本発明の撮像装置の各群の移動軌跡を示す図である。
【図５】本発明の撮像装置の第２群鏡筒を示す図である。
【図６】本発明の撮像装置の第２群鏡筒のラック部の拡大斜視図である。
【図７】本発明の撮像装置の第２群鏡筒を固定鏡筒に組み込んだ状態の図である。
【図８】本発明の撮像装置の第２群鏡筒を固定鏡筒に組み込んだ状態の図である。
【発明を実施するための形態】
【００１２】
以下に、本発明の好ましい実施の形態を、添付の図面に基づいて詳細に説明する。
【００１３】
＜撮像装置の構成＞
以下、図１〜図３を参照して、本発明の撮像装置について説明する。図１は撮像装置１の斜視図であり、図２は撮像装置１の断面図であり、図３は撮像装置１分解斜視図である。
【００１４】
撮影光学系は、被写体側から順に第１群レンズＬ１〜第５群レンズＬ５を有する。第１群レンズＬ１は光軸方向に固定されている。第２群レンズＬ２と第３群レンズＬ３と第４群レンズＬ４は光軸方向に移動して変倍動作（ズーミング）を行う。第５群レンズＬ５は光軸方向に移動して合焦動作（フォーカシング）を行う。なお、第１群レンズＬ１〜第５群レンズＬ５はそれぞれ順に隣合うレンズ群である。Ｌ６は光学フィルタを示し、例えばＩＲカットフィルタやバンドパスフィルタであり、光軸直交方向に移動して光路上に挿抜されることで特定の波長域の光線を透過させたり遮光したりする。Ｌ７は撮像素子であり、ＣＣＤセンサやＣＭＯＳセンサ等の光電変換素子である。
【００１５】
１０は第１群レンズＬ１を保持する第１群鏡筒である。２０は第２群レンズＬ２（第１のレンズ）を保持する第２群鏡筒（第１のレンズ保持部材）である。２１と２２はガイドバーであり、第２群鏡筒２０に設けたスリーブ部がガイドバー２１に係合して第２群鏡筒２０が光軸方向に案内され、第２群鏡筒２０に設けたＵ溝がガイドバー２２に係合し第２群鏡筒２０のガイドバー２１を中心とした回転を規制している。２３はカムフォロアを示し、第２群鏡筒２０に回転可能に取り付けられている。２４はラック部材であり、第２群鏡筒２０に光軸に平行な軸周りに回転可能に取り付けられている。２５は位置検出用スケールを示し、第２群鏡筒２０に固定されている。
【００１６】
３０は第３群レンズＬ３（第２のレンズ）を保持する第３群鏡筒（第２のレンズ保持部材）である。３１はガイドバーを示し、第３群鏡筒３０に設けたスリーブ部がガイドバー３１に係合して第３群鏡筒３０が光軸方向に案内され、第３群鏡筒３０に設けたＵ溝がガイドバー２２に係合し第３群鏡筒３０のガイドバー３１を中心とした回転を規制している。３３はカムフォロアを示し、第３群鏡筒３０に回転可能に取り付けられている。第３群鏡筒３０には図示しない絞りユニットが固定されており、絞り羽根を駆動し開口径を変化させることができる。
【００１７】
４０は第４群レンズＬ４を保持する第４群鏡筒である。４１はガイドバーであり、第４群鏡筒４０に設けたスリーブ部がガイドバー４１に係合して第４群鏡筒４０が光軸方向に案内され、第４群鏡筒４０に設けたＵ溝がガイドバー２２に係合し第４群鏡筒４０のガイドバー４１を中心とした回転を規制している。４３はカムフォロアを示し、第４群鏡筒４０に回転可能に取り付けられている。
【００１８】
５０は第５群レンズＬ５を保持する第５群鏡筒である。５１はガイドバーであり、第５群鏡筒５０に設けたスリーブ部がガイドバー５１に係合して第５群鏡筒５０が光軸方向に案内され、第５群鏡筒５０に設けたＵ溝がガイドバー２２に係合し第５群鏡筒５０のガイドバー５１を中心とした回転を規制している。５４はラック部材を示し、第５群鏡筒５０に光軸に平行な軸周りに回転可能に取り付けられている。
【００１９】
６０は光学フィルタＬ６を保持する光学フィルタ保持枠である。６１と６２はガイドバーであり、光学フィルタ保持枠６０に設けたスリーブ部がガイドバー６１に係合して光学フィルタ保持枠６０が光軸方向に案内される。また、光学フィルタ保持枠６０に設けたＵ溝がガイドバー６２に係合し光学フィルタ保持枠６０のガイドバー６１を中心とした回転を規制している。６３はカムフォロアを示し、光学フィルタ保持枠６０に回転可能に取り付けられている。
【００２０】
７０は撮像素子Ｌ７を保持する撮像素子保持枠である。７６はセンサ基板であり、図示しない撮像素子Ｌ７が固定されており、撮像素子保持枠７０に取り付けられている。７１と７２はガイドバーを示し、撮像素子保持枠７０に設けたスリーブ部がガイドバー７１に係合して撮像素子保持枠７０が光軸方向に案内される。また、撮像素子保持枠７０に設けたＵ溝がガイドバー７２に係合し撮像素子保持枠７０のガイドバー７１を中心とした回転を規制している。７３はカムフォロア示し、撮像素子保持枠７０に回転可能に取り付けられている。
【００２１】
８０はカム筒（カム部材）である。カム筒８０に設けた第２群カム溝に第２群鏡筒２０のカムフォロア２３が係合し、第３群カム溝に第３群鏡筒３０のカムフォロア３３が係合し、第４群カム溝に第４群鏡筒４０のカムフォロア４３が係合する。また、光学フィルタカム溝に光学フィルタ保持枠６０のカムフォロア６３が係合し、撮像素子カム溝に撮像素子保持枠７０のカムフォロア７３が係合している。カム筒８０は、光軸から離れて光軸方向に延びる軸回りで回転可能である。
【００２２】
１０１は固定鏡筒（鏡筒ケース）、１０２は後部鏡筒、１０３は後部カバーである。固定鏡筒１０１には第１群鏡筒１０が固定される。ガイドバー２１、２２、３１、４１、５１は固定鏡筒１０１と後部鏡筒１０２に挟持される。ガイドバー６１、６２、７１、７２は後部鏡筒１０２と後部カバー１０３に挟持される。８１はカム筒付勢部材を示し、カム筒８０を光軸方向に付勢する。カム筒８０はカム筒付勢部材８１を介して固定鏡筒１０１と後部鏡筒１０２に回転可能に挟持される。固定鏡筒１０１は、第２群レンズ鏡筒Ｌ２、第３群レンズ鏡筒Ｌ３、カム筒８０などを収容する。
【００２３】
１１３は光学式センサであり、固定鏡筒１０１に固定される。光学式センサ１１３は発光部と受光部を有しており、第２群鏡筒２０に取り付けられた位置検出用スケール２５で反射した周期的な明暗パターンの光を検出して電気信号に変換し、第２群鏡筒２０の位置を検出する。
【００２４】
１１１は振動型リニアアクチュエータ（駆動部材）である。振動型リニアアクチュエータ１１１は、図示しないスライダおよび振動子によって構成される。振動型リニアアクチュエータ１１１は、図示しないフレキシブルプリント基板を介して振動子に周波信号が入力されると振動子に略楕円運動が発生し、スライダとの圧接面に駆動力を発生させることができる。
【００２５】
振動型リニアアクチュエータ１１１は固定鏡筒１０１に固定され、ラック部材２４に係合している。振動型リニアアクチュエータ１１１に光軸方向の駆動力が発生すると、ラック部材２４を介して第２群鏡筒２０が光軸方向に進退する。第２群鏡筒２０が光軸方向に進退すると、第２群鏡筒のカムフォロア２３と係合したカム筒８０が光軸に平行な軸周りに回転する。カム筒８０が光軸に平行な軸周りに回転すると、カム筒８０に係合したカムフォロア３３、４３、６３、７３を介して第３群鏡筒３０、第４群鏡筒４０、光学フィルタ保持枠６０、撮像素子保持枠７０が光軸方向に進退し、変倍動作を行うことができる。
【００２６】
１１５はステッピングモータである。ステッピングモータ１１５は第４群鏡筒４０に固定され、第５群鏡筒５０に取り付けられたラック部材５４に係合している。ステッピングモータ１１５に光軸方向の駆動力が発生すると、ラック部材５４を介して第５群鏡筒５０が光軸方向に進退し、合焦動作を行うことができる。
【００２７】
１１６、１１７は光学フィルタ挿抜モータである。光学フィルタ挿抜モータ１１６、１１７は後部鏡筒１０２に固定される。光学フィルタ保持枠６０は、図示しないＩＲカットフィルタおよびバンドパスフィルタを光軸直交面内で移動可能に保持している。光学フィルタ挿抜モータ１１６、１１７が光軸に平行な軸周りに回転すると、図示しない係合アームを介してＩＲカットフィルタおよびバンドパスフィルタが光路に挿抜される。ＩＲカットフィルタが光路に挿入されると、撮像素子に入射する光から赤外光がカットされ、通常のカラー画像を生成するのに適した光線が得られる。バンドパスフィルタが光路に挿入されると、例えば近赤外光のような特定の波長域の光線のみが撮像素子に入射することで、よりコントラストの高い画像を生成するのに適した光線が得られる。ＩＲカットフィルタおよびバンドパスフィルタを光路中から退避させると、赤外光を含んだ光線が撮像素子に入射することで、夜間等の低照度下でも撮影可能なようにより多くの光量が得られる。
【００２８】
１０４は電気配線であり、撮像素子Ｌ７に電気信号の入出力を行う。１０５はレンズ基板であり、固定鏡筒１０１に固定されている。レンズ基板１０５は図示しないフレキシブルプリント基板を介して、振動型リニアアクチュエータ１１１やステッピングモータ１１５、光学フィルタ挿抜モータ１１６，１１７等の各アクチュエータとの間で電気信号の入出力を行う。また、レンズ基板１０５は図示しないフレキシブルプリント基板を介して、光学式センサ１１３等の各センサとの間で電気信号の入出力を行う。電気配線１０４は一端がセンサ基板７６に接続され、他端がレンズ基板１０５に接続されている。電気配線１０４はＵ字形状に屈曲した状態で両端が固定されており、撮像素子保持枠７０が光軸方向に移動しても撮像素子保持枠７０を移動させる為に必要な振動型リニアアクチュエータ１１１の推力が過度に増加しないような曲率で形成されている。
【００２９】
１０６は熱伝導部材である。熱伝導部材１０６はグラファイトシートなどの高い熱伝導性を持った可撓性のシート部材から成る。熱伝導部材１０６は、一端がセンサ基板７６に固定され、他端が図示しないヒートシンクに固定されて、センサ基板７６で発生した熱をヒートシンクに伝導することで撮像素子Ｌ７の温度上昇を抑制する。熱伝導部材１０６は、撮像素子保持枠７０が光軸方向に移動しても撮像素子保持枠７０を移動させる為に必要な振動型リニアアクチュエータ１１１の推力が過度に増加しないように、撮像素子保持枠７０の光軸に沿って後方で蛇腹形状に折り畳まれている。
【００３０】
＜各レンズ群の移動軌跡＞
次に撮像装置１を構成する各群の移動軌跡について説明する。図４はカム筒をその周方向（回転方向）に展開したときの第２群レンズＬ２〜Ｌ４，光学フィルタＬ６，撮像素子Ｌ７の全ズーム域でのカム形状（カム線図）および第１群レンズＬ１、第５群レンズＬ５の移動軌跡を示す。図４に示すように、ＷＩＤＥ端よりもＴＥＬＥ端において、第２群レンズＬ２と第３群レンズＬ３と第４群レンズＬ４が接近している。
【００３１】
＜第２群鏡筒２０の詳細構成＞
次に第２群鏡筒２０の詳細について説明する。図５（ａ）〜図５（ｃ）は第２群鏡筒２０を物体側から見た図である。図５（ａ）はラック部材２４が自然位置にある状態の図であり、図示しないラック付勢バネによってラック部材２４が光軸に平行な軸周りにラック部材２４の回転軸周りに右回りに回転するように付勢されている。図５（ｂ）はラック部材２４が使用位置にある状態の図であり、振動型リニアアクチュエータ１１１が固定鏡筒１０１に取り付けられた時にラック部材２４が振動型リニアアクチュエータ１１１の図示しない振動子に押圧されて左回りに回転した状態になる。図５（ｃ）は第２群鏡筒２０を固定鏡筒１０１に組み込む際にラック部材２４を折り畳んだ組み込み状態の図である。すなわち、ラック部材２４がアクチュエータ１１１に係合される係合位置と、固定鏡筒１０１への挿入時に保持される第１の保持位置と、第２群レンズ鏡筒Ｌ２および第３群レンズ鏡筒のカム筒８０への挿入時に保持される第２の保持位置と、の間で回動可能である。また、ラック部材２４の係合位置は、ラック部材２４の回動範囲において、第１の保持位置と第２の保持位置の間に位置である。
【００３２】
図６は第２群鏡筒２０のラック部材２４近傍の拡大斜視図である。２６はラック付勢バネ（付勢部材）であり、ラック部材２４が第２群鏡筒２０に対して光軸方向および光軸に平行なラック部材２４の回転軸周りの回転方向に付勢されている。２４ａはラック部材２４に設けた位置規制用の突起である。２０ａ、２０ｂは第２群鏡筒２０に設けた位置規制部（保持部材）であり、これらの位置規制部の間の範囲でラック部材２４が回転軸周りに回動可能に第２群鏡筒２０に保持される。２０ｃは第２群鏡筒２０に設けた位置規制穴（保持部材）であり、第２群鏡筒２０を固定鏡筒１０１に組み込む際にラック部材２４を使用位置よりもさらに折り畳んだ時に位置規制用突起２４ａが挿入され、ラック部材２４が折り畳まれた位置で保持できる。
【００３３】
＜各群の固定鏡筒１０１への組み込み＞
次に図７ａから図８を参照して第２群鏡筒２０を固定鏡筒１０１に組み込む手順について説明する。図７（ａ）はラック部材２４が固定鏡筒１０１に設けた第１の規制部１０１ａに当接した状態を像面側から見た図であり、図７（ｂ）はその斜視図である。図８はラック部材２４が固定鏡筒１０１に設けた第２の規制部１０１ｂに当接した状態を示す斜視図である。
【００３４】
まず、ラック部材２４を第２群鏡筒２０に対して使用位置よりさらに折り畳んで組み込み状態にしておき、固定鏡筒１０１の挿入口に像面側から組み込む。ラック部材２４が組み込み状態の時は、第２群鏡筒２０を固定鏡筒１０１に組み込む際に固定鏡筒１０１にラック部材２４が干渉することなく光軸方向から真っすぐに組み込むことができる。そして、固定鏡筒１０１の第１の規制部１０１ａに当接することで、第２群鏡筒２０の光軸方向の位置が規制される。１０１ａは固定鏡筒に設けた第１の規制部であり、ラック部材２４が組み込み状態まで折り畳まれた時のみラック部材２４と当接して第２群鏡筒２０が所定の位置より被写体側に移動することを規制する。
【００３５】
この状態で第２群鏡筒２０を被写体側に押圧すると、ラック付勢バネ２６の光軸方向の付勢力に抗して第２群鏡筒２０が被写体側に移動し位置規制用突起２４ａが位置規制穴２０ｃから外れる。これにより、ラック部材２４がラック付勢バネ２６の回転軸周りの付勢力により回転し位置規制用突起２４ａが位置規制部２０ａに当接してラック部材２４が自然位置になる。この状態ではラック部材２４が固定鏡筒の第１の規制部１０１ａに当接しなくなり、第２群鏡筒２０は光軸に沿って被写体側に移動し、固定鏡筒１０１の第２の規制部１０１ｂに当接することで第２群鏡筒２０の光軸方向の移動が規制される。１０１ｂは固定鏡筒に設けた第２の規制部であり、ラック部材２４が自然位置にある時のみラック部材２４に当接して第２群鏡筒２０が所定の位置より被写体側に行くことを規制する。
【００３６】
第２の規制部１０１ｂで規制された第２群鏡筒２０の位置は本実施例ではＴＥＬＥ端の位置である。ＴＥＬＥ端では図４の各群の移動軌跡に示したように、第２群レンズＬ２と第３群レンズＬ３と第４群レンズＬ４が接近するため、第２群鏡筒２０と第３群鏡筒３０と第４群鏡筒４０を当接させた状態で組み立てを行うことができる。この状態では、カム筒８０のカム溝に各鏡筒のカムフォロアを容易に係合させることができる。
【００３７】
その後、光学フィルタ保持部材６０と撮像素子保持枠７０を組み立て、最後に振動型リニアアクチュエータ１１１を固定鏡筒１０１に取り付けると、ラック部材２４が使用位置まで回転する。そして、固定鏡筒１０１の第２の規制部１０１ｂでの規制が外れ第２群鏡筒２０が光軸方向に移動自在になり、通常のズーム動作を行うことができるようになる。
【００３８】
以上の組立手順により、複数の移動鏡筒のカムフォロアをカム筒のカム溝に容易に係合させて組み立てることができる。
【００３９】
以上により、１つのカム筒で複数のレンズ保持部材を駆動させる構成において、複数の移動部材を光軸方向から容易に組み立てることを可能にした撮像装置を提供することができる。
【００４０】
以上、本発明の好ましい実施形態について説明したが、本発明はこれらの実施形態に限定されず、その要旨の範囲内で種々の変形及び変更が可能である。
【符号の説明】
【００４１】
１  撮像装置
１０  第１群鏡筒
２０  第２群鏡筒
２１、２２、３１、４１、５１、６１、６２、７１、７２  ガイドバー
２３、３３、４３、６３、７３  カムフォロア
２４  ラック部材
２５  位置検出用スケール
３０  第３群鏡筒
４０  第４群鏡筒
５０  第５群鏡筒
５４  ラック部材
６０  光学フィルタ保持枠
７０  撮像素子保持枠
７６  センサ基板
８０  カム筒
８１  カム筒付勢部材
１０１  固定鏡筒
１０１ａ  第１の規制部
１０１ｂ  第２の規制部
１０２  後部鏡筒
１０３  後部カバー
１０４  電気配線
１０５  レンズ基板
１０６  熱伝導部材
１１１  振動型リニアアクチュエータ
１１３  光学式センサ
１１５  ステッピングモータ
１１６、１１７  光学フィルタ挿抜モータ
【図１】
2020177166.tif 000003
【図２】
2020177166.tif 000004
【図３】
2020177166.tif 000005
【図４】
2020177166.tif 000006
【図５】
2020177166.tif 000007
【図６】
2020177166.tif 000008
【図７】
2020177166.tif 000009
【図８】
2020177166.tif 000010